(57)【特許請求の範囲】
【請求項１】
記録媒体に画像を形成する画像形成部と、
前記画像形成部を含む当該画像形成装置の各部の動作を制御するメイン制御部と、
前記メイン制御部より回路規模が小さいサブ制御部と、
当該画像形成装置の各部に対して電力を供給する通常モードと、前記メイン制御部及び前記サブ制御部のうち前記メイン制御部のみを含む当該画像形成装置の各部に対する電力供給を遮断する省電力モードとを択一的に切り替えるモード切替部と、
当該画像形成装置の環境を検出し、検出した環境を示す検出信号を出力する環境検出部と
を備え、
前記サブ制御部は、
前記モード切替部によるモードの切替えを検出するモード切替検出部と、
前記モード切替検出部により前記省電力モードに設定されていることが検出されている間、前記環境検出部に前記環境の検出動作を繰り返し実行させる検出制御部と
を有し、
前記メイン制御部は、
前記環境検出部により検出された環境の変化量が予め定められた基準範囲を超える場合には、前記モード切替部により前記省電力モードから通常モードに切り替えられたときに、前記画像形成部による画像形成動作を調整するイニシャル動作を当該画像形成装置の各部に実行させるイニシャル動作指示部
を有する画像形成装置。
【請求項２】
前記サブ制御部は、前記環境検出部から今回出力された検出信号と、該検出信号より予め定められた時間だけ前に取得した検出信号、又は、前記今回出力された検出信号より予め定められた検出回数だけ前に取得した検出信号との差分を前記環境の変化量として算出し、この変化量が前記基準範囲を超える場合、その旨を示す情報をメイン制御部に出力する請求項１に記載の画像形成装置。
【請求項３】
前記環境検出部が検出する環境は、当該画像形成装置周辺の気温を含む請求項１又は２に記載の画像形成装置。
【請求項４】
前記環境検出部が検出する環境は、当該画像形成装置周辺の湿度を含む請求項１乃至３のいずれかに記載の画像形成装置。
【発明の詳細な説明】
【技術分野】
【０００１】
本発明は、記録媒体に画像を形成する画像形成装置の技術分野に属するものである。
【背景技術】
【０００２】
電子写真方式を用いた複写機やファクシミリ等の画像形成装置における省電力化の技術として、当該画像形成装置の各部に対して電力を供給する通常モードの他に、前記各部のうち一部に対してのみ電力を供給する所謂スリープモード（省電力モード）を設け、画像形成装置に対する操作が所定時間何もなされなかった場合や、前記スリープモードに切り替える指示が画像形成装置に入力された場合に、画像形成装置のモードを前記通常モードからスリープモードに切り替える技術が広く採用されている。
【０００３】
また、例えば下記特許文献１には、更なる省電力化を目的として、装置各部を制御するメイン制御部とは別に、該メイン制御部より低速のＣＰＵと小容量のメモリとを備えるサブ制御部を搭載し、省電力モードでは、前記メイン制御部を停止して、サブ制御部のみを動作させる技術が提案されている。
【特許文献１】特開平０８−１０１６０９号公報
【発明の開示】
【発明が解決しようとする課題】
【０００４】
ところで、電子写真方式を用いた画像形成装置にあっては、前記スリープモードの設定中に画像形成装置の環境が変化し、この環境変化に起因して、画像形成装置の各部の状態が変化する可能性がある。このような変化が発生すると、記録紙に形成する画像の濃度が変化したり、カラー印刷の場合に色合いが変化したりする。
【０００５】
そこで、通常、画像形成装置の各部の動作確認を行って、正常でない場合には適切な画像が形成されるように各部の調整を行う所謂イニシャル動作を実施する。
【０００６】
ここで、従来の画像形成装置において、スリープモードから通常モードへの移行時（以下、復帰時）に画像形成装置の環境（例えば気温や湿度）を検出し、この検出した環境と、前回のイニシャル動作の実施時における環境との差（以下、環境差という）が予め定められた基準を逸脱するという条件をイニシャル動作の実施条件としている場合がある。
【０００７】
しかしながら、前記環境差が前記基準を逸脱している状態である場合のみならず、前記環境差が前記基準を逸脱していない場合であっても、スリープモード中に比較的大きな環境変化が生じたときには、画像形成装置の各部の状態変化や動作異常が発生し得る。この点につき、従来では、スリープモード中の比較的大きな環境変化によって生じ得る前記画像形成装置の各部の状態変化や動作異常については考慮されていなかった。
【０００８】
そこで、スリープモードから通常モードに移行したときには、必ずイニシャル動作を実施するように構成することが考えられる。
【０００９】
しかしながら、スリープモードの設定中に必ず画像形成装置の環境が変化するとは限らない。それにもかかわらず、スリープモードから通常モードに復帰したときに必ずイニシャル動作を実施すると、このイニシャル動作は比較的長い時間を要するものであるため、ユーザを長時間待機させることとなる。
【００１０】
このように、スリープモードから通常モードに復帰する都度、イニシャル動作を実施してユーザに長時間待機させると、特に、前記モードの切り替えを比較的頻繁に行うような使用状況の場合に、ユーザに不便さを感じさせることとなる。
【００１１】
本発明は、上述した問題点を解決するためになされたものであり、省電力化及び利便性を考慮しつつ、各部の動作不良をより確実に防止又は解消することができる画像形成装置を提供することを目的とする。
【課題を解決するための手段】
【００１２】
請求項１に記載の発明は、記録媒体に画像を形成する画像形成部と、前記画像形成部を含む当該画像形成装置の各部の動作を制御するメイン制御部と、前記メイン制御部より回路規模が小さいサブ制御部と、当該画像形成装置の各部に対して電力を供給する通常モードと、前記メイン制御部及び前記サブ制御部のうち前記メイン制御部のみを含む当該画像形成装置の各部に対する電力供給を遮断する省電力モードとを択一的に切り替えるモード切替部と、当該画像形成装置の環境を検出し、検出した環境を示す検出信号を出力する環境検出部とを備え、前記サブ制御部は、前記モード切替部によるモードの切替えを検出するモード切替検出部と、前記モード切替検出部により前記省電力モードに設定されていることが検出されている間、前記環境検出部に前記環境の検出動作を繰り返し実行させる検出制御部とを有し、前記メイン制御部は、前記環境検出部により検出された環境の変化量が予め定められた基準範囲を超える場合には、前記モード切替部により前記省電力モードから通常モードに切り替えられたときに、前記画像形成部による画像形成動作を調整するイニシャル動作を当該画像形成装置の各部に実行させるイニシャル動作指示部を有する画像形成装置である。
【００１３】
この発明によれば、モード切替部により、前記通常モードから省電力モードに切り替えられると、サブ制御部において、このモードの切替えがモード切替検出部により検出され、省電力モードに設定されている間、検出制御部により、検出動作を繰り返し実行する指示が前記環境検出部に出力される。これにより、前記環境検出部によって環境の検出動作が繰り返し実行され、その都度、検出した環境を示す検出信号が出力される。
【００１４】
そして、前記環境検出部により検出された環境の変化量が予め定められた基準範囲を超える場合には、前記モード切替部により前記省電力モードから通常モードに切り替えられたときに、メイン制御部のイニシャル動作指示部により、前記画像形成部による画像形成動作を調整するイニシャル動作を実行する指示が当該画像形成装置の各部に出力される。前記予め定められた基準範囲は、例えば画像形成装置の画像形成動作や画像形成条件に影響を及ぼす虞が少ないと考えられる環境変化量についての範囲が設定される。
【００１５】
このように、本発明によれば、省電力モード中に予め定められた基準範囲を超える環境変化量が発生したときには、前記モード切替部により前記省電力モードから通常モードに切り替えられたときに前記イニシャル動作を実施するようにしたので、省電力モード中に発生した比較的大きな環境変化に起因して画像品質が低下するのを防止又は抑制することができる。また、省電力モードから通常モードに復帰したときに必ずイニシャル動作を実施する構成に比して、必要性が低いときのイニシャル動作を実施しない分、イニシャル動作を実施する機会（イニシャル動作の実施頻度）を低減することができる。
【００１６】
請求項２に記載の発明は、請求項１に記載の画像形成装置において、前記サブ制御部は、前記環境検出部から今回出力された検出信号と、該検出信号より予め定められた時間だけ前に取得した検出信号、又は、前記今回出力された検出信号より予め定められた検出回数だけ前に取得した検出信号との差分を前記環境の変化量として算出し、この変化量が前記基準範囲を超える場合、その旨を示す情報をメイン制御部に出力するものである。
【００１７】
この発明によれば、前記サブ制御部において、前記環境検出部から今回出力された検出信号と、該検出信号より予め定められた時間だけ前に取得した検出信号、又は、前記今回出力された検出信号より予め定められた検出回数だけ前に取得した検出信号との差分を前記環境の変化量として算出し、この変化量が前記予め定められた基準範囲を超える場合、その旨を示す情報をメイン制御部に出力するようにしたので、これらの処理をメイン制御部で実施する場合に比して早い時期から開始することができることにより、前記省電力モードから通常モードに切り替えられると速やかに前記イニシャル動作を実施することができる。
【００１８】
前記環境検出部が検出する環境としては、例えば請求項３に記載の発明のように、当該画像形成装置周辺の気温や、請求項４に記載の発明のように、当該画像形成装置周辺の湿度、或いは、前記気温と湿度との両方を含む場合が想定される。
【発明の効果】
【００１９】
本発明によれば、前記サブ制御部及び省電力モードを備えたことにより省電力化を達成することができるとともに、必要性が低いときのイニシャル動作を実施しないことにより画像形成装置の利便性を考慮しつつ画像品質の低下を防止又は抑制することができる。
【発明を実施するための最良の形態】
【００２０】
以下、本発明に係る画像形成装置の一実施形態である複合機を図面に基づいて説明する。図１は、複合機の内部構成を示す側面図である。複合機１は、コピー機能、プリンタ機能、スキャナ機能及びファクシミリ機能等の機能を兼ね備えたものであり、本体部２と、本体部２の左方に配設されたスタックトレイ３と、本体部２の上部に配設された原稿読取部４と、原稿読取部４の上方に配設された原稿給送部５とを有している。
【００２１】
原稿読取部４は、ＣＣＤ(Charge Coupled Device)センサ及び露光ランプ等からなるスキャナ部１３と、ガラス等の透明部材により構成された原稿台１４及び原稿読取スリット１５とを備える。スキャナ部１３は、図略の駆動部によって移動可能に構成され、原稿台１４に載置された原稿を読み取るときは、原稿台１４に対向する位置で原稿面に沿って移動され、原稿画像を走査しつつ取得した画像データをメイン制御部３５（図２参照）へ出力する。また、原稿給送部５により給送された原稿を読み取るときは、原稿読取スリット１５と対向する位置に移動され、原稿読取スリット１５を介して原稿給送部５による原稿の搬送動作と同期して原稿の画像を取得し、その画像データをメイン制御部３５へ出力する。
【００２２】
原稿給送部５は、原稿を載置するための原稿載置部１６と、画像読み取り済みの原稿を排出するための原稿排出部１７と、原稿載置部１６に載置された原稿を１枚ずつ繰り出して原稿読取スリット１５に対向する位置へ搬送し、原稿排出部１７へ排出するための給紙ローラや搬送ローラ（図示せず）等からなる原稿搬送機構１８を備える。原稿搬送機構１８は、さらに原稿を表裏反転させて原稿読取スリット１５と対向する位置へ再搬送する用紙反転機構（図示せず）を備え、原稿の両面の画像を、原稿読取スリット１５を介してスキャナ部１３から読取可能にしている。
【００２３】
また、原稿給送部５は、その前面側が上方に移動可能となるように本体部２に対して回動自在に設けられている。原稿給送部５の前面側を上方に移動させて原稿台１４の上面を開放することにより、原稿台１４の上面に読み取り原稿、例えば見開き状態にされた書籍等を操作者が載置できるようになっている。
【００２４】
本体部２は、複数の給紙カセット１９と、給紙カセット１９から記録紙を１枚ずつ繰り出して画像形成部２１へ搬送する給紙ローラ２０と、給紙カセット１９から搬送されてきた記録紙に画像を形成する画像形成部２１とを備える。
【００２５】
画像形成部２１は、図略の帯電ローラにより周面が一様に帯電された感光体ドラム２２と、スキャナ部１３で取得された画像データに基づきレーザ光等を出力して前記感光体ドラム２２の周面を露光する光学ユニット２３と、感光体ドラム２２上にトナー像を形成する現像部２４と、感光体ドラム２２上のトナー像を記録紙に転写する転写部２５と、トナー像が転写された記録紙を加熱してトナー像を記録紙に定着させる一対のローラ２６，２７からなる定着装置２８と、画像形成部２１内の用紙搬送路中に設けられ、記録紙をスタックトレイ３又は排出トレイ２９まで搬送する搬送ローラ対３０，３１等とを備える。
【００２６】
また、記録紙の両面に画像を形成する場合は、画像形成部２１で記録紙の一方の面に画像を形成した後、この記録紙を排出トレイ２９側の搬送ローラ対３０にニップされた状態とする。この状態で搬送ローラ対３０を反転させて記録紙をスイッチバックさせ、記録紙を用紙搬送路３２に送って画像形成部２１の上流域に再度搬送し、画像形成部２１により他方の面に画像を形成した後、記録紙をスタックトレイ３又は排出トレイ２９に排出する。
【００２７】
複合機１のフロント部には、操作部６が設けられている。この操作部６には、ユーザが印刷実行指示を入力するためのスタートキー７と、印刷部数等を入力するためのテンキー８と、各種複写動作の操作ガイド情報等を表示し、これら各種設定入力用にタッチパネル機能を有する液晶ディスプレイ等からなる表示部９と、表示部９で設定された設定内容等をリセットするリセットキー１０と、実行中の印刷（画像形成）動作を停止させるためのストップキー１１と、コピー機能、プリンタ機能、スキャナ機能及びファクシミリ機能を切り換えるための機能切換キー１２が備えられている。
【００２８】
次に、複合機１の電気的な構成について説明する。図２は、複合機１の電気的な構成を示すブロック図である。図２に示すように、複合機１は、原稿読取部４、画像形成部２１、記憶部３３、メイン制御部３５、コントローラ３６、サブ制御部３７、操作部６及び環境検出部４０を備えて構成されている。
【００２９】
前記原稿読取部４、記憶部３３、メイン制御部３５、操作部６及びコントローラ３６によって、取り込んだ画像データを予め指定されたＩＰアドレスへ送信するネットワークスキャナ機能が実現される。また、前記原稿読取部４、画像形成部２１、記憶部３３、メイン制御部３５、操作部６及びコントローラ３６によって、ファクシミリ機能が実現される。さらに、前記画像形成部２１、メイン制御部３５、操作部６、コントローラ３６及び図略のパラレルＩ／Ｆ部によって、プリンタ機能が実現される。また、前記原稿読取部４、画像形成部２１、メイン制御部３５及び操作部６によって、コピー機能が実現される。
【００３０】
操作部６は、図１に示す操作部６に相当するものであり、使用者がコピー機能、プリンタ機能、ファクシミリ機能及びスキャナ機能等に関する操作を行うために使用され、使用者による操作命令（コマンド）等をメイン制御部３５に与えるものである。操作部６は、タッチパネル等を有する表示部９や、前述のスタートキー７やテンキー８等を含む操作キー部を含む。操作キー部は、使用者によるコピー実行開始指令、あるいはファクシミリ送信開始指令といった種々の指示入力を行うために用いられる。
【００３１】
原稿読取部４は、図１に示す原稿読取部４に相当するものであり、原稿の画像を光学的に取得して画像データを生成するものである。
【００３２】
画像形成部２１は、前述の画像形成部２１に相当するものであり、原稿読取部４によって読み取られた原稿の画像データ、コントローラ３６を介して外部のパーソナルコンピュータ等から受信した画像データ、及びコントローラ３６を介して外部のファクシミリ装置から受信したファックスデータ等の画像データに対する画像を所定の記録紙に印刷（形成）するものである。
【００３３】
記憶部３３は、原稿読取部４の読取動作により得られた画像データやネットワークを介して送信されてきた画像データ、後述するメイン制御部３５により処理された画像データ、ファクシミリ通信を行う時の短縮釦登録の相手先名称やファクシミリ番号、ネットワークスキャナとして使用される際の送信相手先のＩＰアドレス等を記憶するものである。
【００３４】
メイン制御部３５及びサブ制御部３７は、それぞれ、図略のＣＰＵ（Central Processing Unit：中央演算処理部）に、そのＣＰＵの動作を規定するプログラムを格納するＲＯＭ（Read Only Memory）やデータを一時的に保管する機能や作業領域としての機能を有するＲＡＭ（Random Access Memory）、並びに一時的にデータを保管するＲＡＭ等の記憶部などの周辺装置を有して構成されている。
【００３５】
そして、メイン制御部３５は、操作部６等で受け付けられた指示情報や、複合機１の各所に設けられているセンサからの検出信号に応じて、該複合機１全体の制御を行う。一方、サブ制御部３７は、メイン制御部３５に比して回路規模が小さく、メイン制御部３５との間で通信可能に構成されている。サブ制御部３７は、主に、後述するスリープモードに設定されているときにも必要な処理を実行するものである。
【００３６】
コントローラ３６は、当該複合機１と外部機器（例えば前記パーソナルコンピュータやファクシミリ装置）との間のインターフェースとして機能するとともに、原稿読取部４、画像形成部２１、メイン制御部３５、サブ制御部３７及び操作部６等の当該複合機１の各部への電力供給のオンオフを切り替える機能を有する。コントローラ３６は、前記モード切替部としての機能を有する。
【００３７】
環境検出部４０は、複合機１の環境を検出するものであり、本実施形態では気温を検出し、当該環境検出部４０に通信可能に接続されたサブ制御部３７に、その検出信号を出力する。環境検出部４０の検出動作は、サブ制御部３７により制御される。
【００３８】
次に、本実施形態の特徴部分について説明する。
【００３９】
本実施形態の複合機１は、外部機器から当該複合機１に画像データが入力されたり、操作部６により画像形成指示などが行われたりすると速やかに動作が実行可能なスタンバイ状態となるように、当該複合機１の各部に予め定められた電力が供給される通常モードの他に、スリープモードが設けられている。スリープモードは、例えば操作部６に設けられているスリープモード設定ボタン６１（図２参照）が操作された場合や、当該複合機１に対して所定時間何も操作されなかった場合等に通常モードから切り替えられるモードであり、前記通常モードのときに比して電力が供給される対象の数が少なく、当該複合機１の各部のうち一部に対してのみ電力が供給されるモードである。スリープモードでは、サブ制御部３７、操作部６及び環境検出部４０への電力供給は継続され、メイン制御部３５や画像形成部２１等、図２の破線で囲まれた領域に含まれる各部への電力供給は遮断される。
【００４０】
そして、本実施形態では、このスリープモード中における大きな環境変化の有無に応じて、該スリープモードから通常モードに移行したときのイニシャル動作（当該複合機１の各部の動作確認を行って、正常でない場合には適切な画像が形成されるように、画像形成部２１を含む各部の調整を行う動作）の実施の要否を判断するようにしている。
【００４１】
このような機能を達成するべく、コントローラ２６は、モード切替部３６１を機能的に有し、サブ制御部３７は、モード検出部３７１と、検出制御部３７２と、判断部３７３と、判断結果情報送信部３７４とを機能的に有し、メイン制御部３５は、判断結果情報受信部３５１と、イニシャル動作指示部３５２とを機能的に有する。
【００４２】
モード切替部３６１は、当該複合機１の電力供給を前記通常モードとスリープモードとの間で切り替えるものである。すなわち、モード切替部３６１は、操作部６に備えられたスリープモード設定ボタン６１（図２参照）が操作されたときや、複合機１に対して所定時間何も操作がなされなかったときに、当該複合機１の電力供給モードを通常モードからスリープモードに切り替える一方、スリープモードの設定中に原稿給送部５の回動操作や操作部６に対して何らかの操作が行われたり、例えばパーソナルコンピュータやファクシミリ装置等の外部機器から画像データが送信されてきたりすると、当該複合機１の電力供給モードをスリープモードから通常モードに切り替える。
【００４３】
モード検出部３７１は、メイン制御部３５に供給されている電源電圧が印加される電力端子の電圧を所定の周期で監視することにより複合機１の現在の電力供給モードを検出するものである。すなわち、前記電力端子の電圧が予め定められた閾値より大きいときには、メイン制御部３５に電力供給が行われており、当該複合機１の電力供給モードが通常モードに設定されているものと検出する一方、前記電力端子の電圧が予め定められた閾値以下のときには、メイン制御部３５への電力供給が遮断されており、当該複合機１の電力供給モードがスリープモードに設定されているものと検出する。モード検出部３７１は、前記モード切替検出部に相当する。
【００４４】
検出制御部３７２は、環境検出部４０の検出動作を制御するものであり、検出動作の開始及び終了を前記環境検出部４０に指示し、環境検出部４０から検出信号を取得する。
具体的には、検出制御部３７２は、前記モード検出部３７１により当該複合機１の電力供給モードがスリープモードに設定されているものと検出されているとき、環境検出部４０に繰り返し（ここでは、一定の周期で）検出動作を実施させる。また、検出制御部３７２は、判断部３７３により後述するイニシャル動作要求フラグが立っていない場合に、前記モード検出部３７１により当該複合機１の電力供給モードがスリープモードから通常モードに切り替わったことが検出されると、環境検出部４０に検出動作を実施させる。検出制御部３７２は、環境検出部４０から取得した検出信号を逐一判断部３７３に出力する。
【００４５】
判断部３７３は、検出制御部３７２から取得した検出信号に基づきイニシャル動作の要否を判断するものである。すなわち、判断部３７３は、スリープモードの設定中、検出制御部３７２から検出信号を取得するたびに、例えば、今回取得した検出信号が示す気温と所定回数前又は所定時間前に取得した検出信号が示す気温との差（以下、温度差という）を算出するとともに、この温度差が予め定められた基準範囲（以下、第１の基準範囲）を逸脱するか否かを判断し、前記温度差が前記第１の基準範囲を逸脱するとき、イニシャル動作の実行を要求することを示すイニシャル動作要求フラグを立てる。
【００４６】
前記イニシャル動作の要否判断に用いる前記第１の基準範囲としては、例えば複合機１の画像形成動作や画像形成条件に影響を及ぼす虞が少ないと考えられる温度差の範囲が設定され、一例として０℃〜５（℃）が設定される。
【００４７】
また、判断部３７３は、スリープモードの設定中に前記イニシャル動作要求フラグを立てなかった場合、今回のスリープモードから通常モードへの切替わり後に取得する今回の検出信号が示す気温と、前回のスリープモードから通常モードへの切替わり後に取得する前回の検出信号が示す気温との差を算出し、この温度差が予め定められた基準範囲（以下、第２の基準範囲という）を逸脱するか否かを判断し、前記温度差が前記第２の基準範囲を逸脱するとき、イニシャル動作の実行を要求することを示すイニシャル動作要求フラグを立てる。
【００４８】
前記イニシャル動作の要否判断に用いる前記第２の基準範囲としては、例えば複合機１の画像形成動作や画像形成条件に影響を及ぼす虞が少ないと考えられる温度差の範囲が設定され、一例として０℃〜５（℃）が設定される。
【００４９】
判断結果情報送信部３７４は、前記モード検出部３７１により当該複合機１の電力供給モードがスリープモードから通常モードに切り替わったことが検出されると、判断部３７３による判断結果を示す情報（以下、判断結果情報という）をメイン制御部３５に送信するものである。
【００５０】
すなわち、判断結果情報送信部３７４は、前記モード検出部３７１により当該複合機１の電力供給モードがスリープモードから通常モードに切り替わったことが検出された場合において、判断部３７３によりイニシャル動作が必要であると判断されたとき（前記イニシャル動作要求フラグが立っているとき）には、その旨を示す判断結果情報をメイン制御部３５に送信し、判断部３７３により前記イニシャル動作が必要であるとは判断されなかったとき（前記イニシャル動作要求フラグが降りているときを含む）には、その旨を示す判断結果情報をメイン制御部３５に送信する。
【００５１】
判断結果情報受信部３５１は、前記モード切替部３６１により前記スリープモードから通常モードに切り替えられたときに、前記サブ制御部３７（判断結果情報送信部３７４）から送信される前記判断結果情報を受信するものである。
【００５２】
イニシャル動作指示部３５２は、前記判断結果情報受信部３５１により受信された判断結果情報に基づき、画像形成部２１にイニシャル動作の実施を指示するものである。すなわち、イニシャル動作指示部３５２は、前記判断結果情報受信部３５１により、イニシャル動作が必要である旨を示す判断結果情報が受信されたときには、画像形成部２１をはじめとする複合機１の各部にイニシャル動作を実施させ、イニシャル動作が不要である旨を示す判断結果情報が受信されたときには、前記各部にイニシャル動作を実行させないものである。
【００５３】
前記イニシャル動作の一つとして、一様の濃度を有する矩形状の濃度補正用パッチパターンを像担持体（例えば前記感光体ドラム２２）上に形成して、該濃度補正用パッチパターンの濃度を図略の濃度センサにより測定し、この測定濃度値が最適値となるように、光学ユニット２３から出力されるレーザ光の強弱調整や現像部２４により印加される現像バイアス電圧の調整を行う濃度調整動作がある。
【００５４】
図３は、前記モード切替に伴ってメイン制御部３５とサブ制御部３７との間で行われる処理を示すフローチャートである。なお、図３に示すフローチャートでは、今回のスリープモードから通常モードへの切替わり後に取得する今回の検出信号が示す気温と、前回のスリープモードから通常モードへの切替わり後に取得する今回の検出信号が示す気温との差に基づくイニシャル動作の要否判断については省略している。
【００５５】
図３に示すように、サブ制御部３７のモード検出部３７１は、コントローラ３６により当該複合機１の電力供給モードが通常モードからスリープモードに切り替えられたことを、メイン制御部３５における前記電力端子の電圧変化により検出すると（ステップ♯１でＹＥＳ）、サブ制御部３７の検出制御部３７２は、環境検出部４０に検出動作（気温計測動作）を開始させる（ステップ♯２）。
【００５６】
次に、前記検出制御部３７２は、前記環境検出部４０から検出信号を受信すると、サブ制御部３７の判断部３７３は、該検出信号が示す気温Ｔ１と、所定回数前又は所定時間前に受信した検出信号が示す気温Ｔ２との差｜Ｔ２−Ｔ１｜を算出し、この気温差｜Ｔ２−Ｔ１｜が前記基準範囲を逸脱するか否かを判断する（ステップ♯３）。
【００５７】
前記判断部３７３は、前記気温差｜Ｔ２−Ｔ１｜が前記基準範囲を逸脱しないと判断した場合には（ステップ♯３でＮＯ）、サブ制御部３７のモード検出部３７１は、複合機１の電力供給モードがスリープモードから通常モードに切り替わったか否かを判断し（ステップ♯４）、前記電力供給モードの切り替わりが発生していないと判断したときには（ステップ♯４でＮＯ）、ステップ♯３の処理に戻る一方、前記電力供給モードの切り替わりが発生したと判断したときには（ステップ♯４でＹＥＳ）、サブ制御部３７の判断結果情報送信部３７４は、イニシャル動作の実施が必要でない旨を示す判断結果情報をメイン制御部３５に送信する（ステップ♯５）。
【００５８】
一方、前記判断部３７３は、前記気温差が前記基準範囲を逸脱すると判断した場合には（ステップ♯３でＹＥＳ）、イニシャル動作要求フラグを立て（ステップ♯６）、前記モード検出部３７１は、複合機１の電力供給モードがスリープモードから通常モードに切り替わったか否かを判断する（ステップ♯７）。
【００５９】
モード検出部３７１は、前記電力供給モードの切り替わりが発生していないときには（ステップ♯７でＮＯ）、該電力供給モードの切り替わりが発生するまで待機する一方、前記電力供給モードの切り替わりが発生すると（ステップ♯７でＹＥＳ）、前記判断結果情報送信部３７４は、前記イニシャル動作要求フラグが立っていることに基づき、イニシャル動作の実施が必要である旨を示す判断結果情報をメイン制御部３５に送信した後（ステップ♯８）、前記イニシャル動作要求フラグを下げる（ステップ♯９）。
【００６０】
一方、メイン制御部３５は、起動すると（ステップ♯１１でＹＥＳ）、メイン制御部３５の判断結果情報受信部３５１は、前記判断結果情報をサブ制御部３７から受信するまで待機する（ステップ♯１２でＮＯ）。そして、前記判断結果情報受信部３５１は、前記判断結果情報をサブ制御部３７から受信すると（ステップ♯１２でＹＥＳ）、イニシャル動作指示部３５２は、該判断結果情報が示す判断結果が、イニシャル動作が必要であるとの判断結果であるか否かを判断する（ステップ♯１３）。
【００６１】
前記イニシャル動作指示部３５２は、前記判断結果が、イニシャル動作が必要であるとの判断結果であると判断したときには（ステップ♯１３でＹＥＳ）、前記画像形成部２１にイニシャル動作を実施させる一方（ステップ♯１４）、イニシャル動作が必要ではないとの判断結果であると判断したときには（ステップ♯１３でＮＯ）、ステップ♯１４のイニシャル動作指示処理を実行しないで一連の処理を終了する。
【００６２】
以上のように、本実施形態では、スリープモード中に比較的大きな気温変化が発生した場合にイニシャル動作を実施するようにしたので、大きな環境変化の影響に起因する画像品質の低下を確実に防止又は抑制することができるとともに、スリープモードから通常モードに移行すると必ずイニシャル動作を実施する構成に比して、必要性が低いときのイニシャル動作を実施しない分、イニシャル動作の実施頻度を抑制することができる。よって、前記イニシャル動作の実施によりユーザを待機させる状況が発生するのをできるだけ回避することができ、前記電力供給モードの切り替えを比較的頻繁に行うような使用状況の場合に、ユーザに不便さを感じさせるのを防止又は抑制することができる。
【００６３】
また、前記サブ制御部３７と前記スリープモードとを備えたので、複合機１の省電力化を図ることができる。
【００６４】
なお、本件は、前記実施形態に代えて、又は前記実施形態に加えて次のような変形形態も採用可能である。
【００６５】
［１］前記実施形態では、サブ制御部３７は、メイン制御部３５の電力端子の電圧変化により電力供給モードの切替を検出するようにしたが、この形態に限らず、通常モードからスリープモードに移行するときに、メイン制御部３５からサブ制御部３７にその旨の通知が行われるようにしてもよい。また、これとは別に、モード切替部３６１のモード信号を監視することで電力供給モードを検出するようにしてもよい。
【００６６】
［２］前記実施形態では、イニシャル動作の要否判断に用いる環境のパラメータとして気温を想定したが、これに限らず、湿度を想定することもできる。この場合、前記環境検出部４０は、検出制御部３７２からの指示に基づき湿度を検出し、前記判断部３７３は、検出制御部３７２から取得した検出信号に基づき、イニシャル動作の要否を判断する。
【００６７】
すなわち、判断部３７３は、スリープモードの設定中、検出制御部３７２から検出信号を取得するたびに、例えば、今回取得した検出信号が示す湿度と所定回数前又は所定時間前に取得した検出信号が示す湿度との差（以下、湿度差という）を算出するとともに、この湿度差が予め定められた第３の基準範囲を逸脱するか否かを判断し、前記湿度差が前記第３の基準範囲を逸脱するとき、イニシャル動作が必要であることを示すイニシャル動作要求フラグを立てる。
【００６８】
前記第３の基準範囲としては、例えば複合機１の画像形成動作や画像形成条件に影響を及ぼす虞が少ないと考えられる湿度差の範囲が設定され、一例として０（％）〜１０（％）が設定される。
【００６９】
また、判断部３７３は、スリープモードの設定中に前記イニシャル動作要求フラグを立てなかった場合、今回のスリープモードから通常モードへの切替わり後に取得する今回の検出信号が示す湿度と、前回のスリープモードから通常モードへの切替わり後に取得する今回の検出信号が示す湿度との差を算出し、この湿度差が予め定められた第４の基準範囲を逸脱するか否かを判断し、前記湿度差が前記第４の基準範囲を逸脱するとき、イニシャル動作の実行を要求することを示すイニシャル動作要求フラグを立てる。
【００７０】
前記イニシャル動作の要否判断に用いる前記第４の基準範囲としては、例えば複合機１の画像形成動作や画像形成条件に影響を及ぼす虞が少ないと考えられる湿度差の範囲が設定され、一例として０（％）〜１０（％）が設定される。
【００７１】
なお、前記各実施形態では、気温及び湿度のうちいずれか一方を、イニシャル動作の要否判断に用いる環境のパラメータとして採用したが、気温と湿度との両方を環境のパラメータとしてイニシャル動作の要否判断を行うようにしてもよい。
【００７２】
［３］前記実施形態では、サブ制御部３７が、スリープモード中に環境検出部４０から出力された検出信号に基づいて、気温や湿度の比較的大きな変化が発生したか否かを判断するようにしたが、本件は、サブ制御部３７は、環境検出部４０から出力された検出信号を蓄積し、複合機１の電力供給モードがスリープモードから通常モードに移行（復帰）したときに、サブ制御部３７からメイン制御部３５にその蓄積した検出信号を送信して、メイン制御部３５が、その検出信号に基づき前記と同様の判断方法によりイニシャル動作の要否を判断する構成も含む。
【００７３】
ただし、サブ制御部３７で前記判断等を行う方が、該判断等をメイン制御部３５で実施する場合に比して早いタイミングで開始することができるため、前記スリープモードから通常モードに切り替えられると速やかに前記イニシャル動作を実施することができ、イニシャル動作の実施に起因して発生するユーザの待機時間を低減することができる。
【００７４】
［４］前記実施形態では、特に言及しなかったが、主電源がオンされた場合には、必ずイニシャル動作を実施するようにしてもよいし、或いは、主電源がオンされたときの環境に応じて、イニシャル動作の要否を決定するようにしてもよい。
【図面の簡単な説明】
【００７５】
【図１】本発明に係る画像形成装置の一実施形態である複合機の内部構成を示す側面図である。
【図２】複合機の電気的な構成を示すブロック図である。
【図３】前記電力供給モード切替に伴ってメイン制御部とサブ制御部との間で行われる処理を示すフローチャートである。
【符号の説明】
【００７６】
１      複合機
４      原稿読取部
２１    画像形成部
３５    メイン制御部
３５１  判断結果情報受信部
３５２  イニシャル動作指示部
３６    コントローラ
３６１  モード切替部
３７    サブ制御部
３７１  モード検出部
３７２  検出制御部
３７３  判断部
３７４  判断結果情報送信部
【図１】
0005096996.tif 000002
【図２】
0005096996.tif 000003
【図３】
0005096996.tif 000004